(57)【要約】      （修正有）【課題】音波を出力する電子スタンプにおいて、ユーザ端末に対する認証が容易に実行され、また、他の端末が音波のみを盗用することでは認証が実行されないようにする電子スタンプを提供する。【解決手段】電子スタンプ１００は、基準音波を生成する基準音波生成部１１１を有する音波生成部１１０と、ユニークに付与された識別情報を用いて前記基準音波を変調して送信音波に変換する制御部１２０と、前記送信音波を出力する出力部１３０と、１つ以上の伝導性チップ１４１、１４２、１４３を有し、ユーザ端末のタッチインタフェースに接触して少なくとも１つのタッチイベントを発生させる接触部１４０を備える。【選択図】図１
2018097882.tif 000002
【特許請求の範囲】
【請求項１】
識別情報内のビット位置それぞれを異なる周波数に対応させる段階と、
前記ビット位置のうちの第１ビットの値を持つ位置と対応する周波数の音波を生成する段階と、
生成された音波を送信音波に変換する段階と、
前記送信音波を出力する段階とを含んでいる電子スタンプの動作方法。
【請求項２】
前記識別情報の一部は、予め決められた時間ごとに変更される請求項１に記載の電子スタンプの動作方法。
【請求項３】
前記音波を生成する段階は、
前記識別情報がnビットで構成された場合、前記nビットのうちのビット値１を持つビット位置に対応する音波を生成し、ビット値０を持つビット位置に対応する音波を生成していない請求項１に記載の電子スタンプの動作方法。
【請求項４】
電子スタンプにおいて、
前記電子スタンプは識別情報内のビット位置それぞれを異なる周波数に対応させて、前記ビット位置のうちの第１ビットの値を持つ位置と対応する周波数の音波を生成し、生成された音波を送信音波に変換し、前記送信音波を出力する電子スタンプ。
【請求項５】
前記識別情報の一部は、予め決められた時間ごとに変更される請求項４に記載の電子スタンプ。
【請求項６】
前記電子スタンプは、
前記識別情報がnビットで構成された場合、前記nビットのうちのビット値１を持つビット位置に対応する周波数の音波を生成し、ビット値０を持つビット位置に対応する音波の周波数を生成していない請求項４に記載の電子スタンプ。
【発明の詳細な説明】
【技術分野】
【０００１】
本発明の実施形態は、コーヒーショップ、レストラン、美容室又は映画館などでスタンプの積み立て、クーポン認証、チケット認証、又は、出席認証するために使用される電子スタンプ及び電子スタンプの動作方法に関する。
【背景技術】
【０００２】
コーヒーショップでスタンプを積み立てたりカンファレンスの訪問認証のためにユーザはクーポンカード又は訪問認証カードを直接所持しなければならない。しかし、最近では、スマートフォン及びスマートフォンで駆動されるアプリケーションの発達に伴って、プリケーションを通したスタンプの積み立てや訪問認証が実行される。
【０００３】
スマートフォンのユーザは、ＱＲコード（登録商標）を撮影したりバーコードを認証者に見せることによって、認証者からスタンプの積み立てや訪問認証を受けることができる。また、スマートフォンのユーザは、ＮＦＣなどの近距離無線通信技術をによって認証者からスタンプの積み立てや訪問認証を受けることができる。
【先行技術文献】
【特許文献】
【０００４】
【特許文献１】韓国登録特許第１３２１７４５号公報
【発明の概要】
【発明が解決しようとする課題】
【０００５】
本発明の目的は、電子スタンプが音波を出力し、ユーザ端末に接触することによってユーザ端末に対する認証が電子スタンプにより容易に実行される。
【０００６】
本発明の目的は、電子スタンプは、ユーザ端末にシングルタッチだけではなくマルチタッチまで可能であり、ユーザ端末でない他の端末が音波のみを盗用して認証実行されないようにする。
【課題を解決するための手段】
【０００７】
一側に係る電子スタンプは、基準音波を生成する音波生成部と、ユニークに付与された識別情報を用いて前記基準音波を変調して送信音波に変換する制御部と、前記送信音波を出力する出力部と、１つ以上の伝導性チップを含み、ユーザ端末のタッチインタフェースに接触して少なくとも１つのタッチイベントを発生させる接触部とを含み、前記タッチイベントは、前記識別情報の認証結果に応じて予め決定した認証アイテムが前記ユーザ端末の前記タッチインタフェースに視覚的に表示されるようにトリガリングする。
【０００８】
一実施形態によると、前記識別情報は、予め決定した時間ごとに変更されてもよい。
ここで、前記識別情報は、少なくとも一部のデータが予め決定した時間ごとに変更されてもよい。
【０００９】
一実施形態によると、前記制御部は、予め決定した回数に応じて前記送信音波の振幅を制御してもよい。
【００１０】
一実施形態によると、前記音波生成部は、前記基準音波を生成する基準音波生成部と、前記認証アイテムの取消しのための取消し音波を生成する取消し音波生成部と、前記基準音波生成部と前記取消し音波生成部をスイッチングするスイッチング部とを含み、前記制御部はユーザ入力により前記スイッチング部を制御し、前記取消し音波は、前記認証アイテムが前記ユーザ端末の前記タッチインタフェースで視覚的に消えるようにトリガリングしてもよい。
【００１１】
また、前記音波生成部は、キャリア周波数が異なる複数の基準音波を生成し、前記キャリア周波数は、前記タッチインタフェースで表示される前記認証アイテムの削除、種類、及び個数のうち少なくとも１つを決定してもよい。
【００１２】
一実施形態によると、前記接触部は、予め定義されたパターンに応じて前記タッチイベントを発生させてもよい。
前記基準音波は、非可聴周波数帯域にある音波であってもよい。
【００１３】
他の一実施形態によると、電子スタンプは、ユーザが把持できる把持部を含むハウジング部と、前記ハウジング部内に収納される１つ以上の回路素子を含むコントローラと、ユーザ端末のタッチインタフェースに接触する１つ以上の伝導性チップを含む接触部とを含み、前記コントローラは、基準音波を生成する音波生成部と、ユニークに付与された識別情報を格納するメモリと、前記識別情報を用いて前記基準音波を変調して送信音波に変換するように制御するプロセッサと、前記送信音波を出力する出力部とを含む。
【００１４】
前記識別情報は、予め決定した時間ごとに変更されてもよい。
さらに、前記プロセッサは、予め決定した回数に応じて前記送信音波の振幅を制御してもよい。
【００１５】
また、前記音波生成部は、前記基準音波を生成する基準音波生成部と、認証アイテムの取消しのための取消し音波を生成する取消し音波生成部と、前記基準音波生成部と前記取消し音波生成部をスイッチングするスイッチング部とを含み、前記プロセッサはユーザ入力により前記スイッチング部を制御し、前記取消し音波は、前記認証アイテムがユーザ端末の前記タッチインタフェースで視覚的に消えるようにトリガリングしてもよい。
【００１６】
また、前記音波生成部は、キャリア周波数が異なる複数の基準音波を生成し、前記キャリア周波数は、前記タッチインタフェースで表示される前記認証アイテムの削除、種類、及び個数のうち少なくとも１つを決定してもよい。
【００１７】
また、前記接触部は、予め定義されたパターンに応じてタッチイベントを発生させてもよい。
【発明の効果】
【００１８】
電子スタンプが音波を出力し、ユーザ端末に接触することによってユーザ端末に対する認証が電子スタンプにより容易に実行されることができる。
【００１９】
電子スタンプは、ユーザ端末にシングルタッチだけではなくマルチタッチまで可能であり、ユーザ端末でない他の端末が音波のみを盗用して認証実行されないようにすることができる。
【図面の簡単な説明】
【００２０】
【図１】一実施形態に係る電子スタンプの構成を説明するための図である。
【図２】一実施形態に係る識別情報を用いて基準音波を送信音波に変換することを説明するための図である。
【図３】一実施形態に係る認証システムを構成する電子スタンプ及び端末間の動作を説明するためのフローチャートである。
【図４】一実施形態に係る認証システムを構成する電子スタンプ及び端末間の動作を説明するための図である。
【図５】他の実施形態に係る電子スタンプの構成を説明するための図である。
【発明を実施するための形態】
【００２１】
以下、実施形態を添付する図面を参照しながら詳細に説明する。しかし、本発明が一実施形態によって制限されたり限定されることはない。また、各図面に提示された同一の参照符号は同一の部材を示す。
【００２２】
図１は、一実施形態に係る電子スタンプの構成を説明するための図である。
図１を参照すると、一実施形態に係る電子スタンプ１００は、音波生成部１１０、制御部１２０、出力部１３０及び接触部１４０を含む。
【００２３】
一実施形態によると、音波生成部１１０は基準音波を生成する。基準音波は、非可聴周波数帯域にある音波であり得る。例えば、基準音波の周波数は１８ｋＨｚ〜２２ｋＨｚの範囲であってもよい。
【００２４】
一実施形態によると、制御部１２０は、ユニークに付与された識別情報を用いて基準音波を変調する。例えば、制御部１２０は、振幅変調（Ａｍｐｌｉｔｕｄｅ  Ｍｏｄｕｌａｔｉｏｎ、ＡＭ）、周波数変調（Ｆｒｅｑｕｅｎｃｙ  Ｍｏｄｕｌａｔｉｏｎ、ＦＭ）、位相変調（Ｐｈａｓｅ  Ｍｏｄｕｌａｔｉｏｎ、ＰＭ）のアナログ変調方式を用いて基準音波を変調し得る。また、制御部１２０は、直交振幅変調（Ｑｕａｄｒａｔｕｒｅ  Ａｍｐｌｉｔｕｄｅ  Ｍｏｄｕｌａｔｉｏｎ、ＱＡＭ）などのデジタル変調方式だけではなく、パルス変調（Ｐｕｌｓｅ  Ｍｏｄｕｌａｔｉｏｎ）方式を用いて基準音波を変調し得る。前述した変調方式は、一実施形態に係る例示的な事項に過ぎず、制御部１２０が基準音波を変調するために用いる変調方式は前述した事項に限定されることはない。
【００２５】
一実施形態によると、制御部１２０は基準音波を変調し、前記基準音波を送信音波に変換する。送信音波は、ユニークに付与された識別情報が基準音波に含まれた音波である。識別情報は、電子スタンプ１００にユニークに付与されてもよい。前記識別情報によって電子スタンプ１００は他の電子スタンプと区別される。
【００２６】
一実施形態に係る出力部１３０は送信音波を出力する。例えば、出力部１３０は、スピーカを通して送信音波を出力する。ユーザ端末は、電子スタンプで出力された送信音波を受信する。ここで、ユーザ端末が送信音波を受信できるように電子スタンプ１００は、ユーザ端末と予め決定した距離（例えば、４０ｃｍ）以内に位置してもよい。また、電子スタンプ１３０は、ユーザ端末に送信される送信音波の出力強度を制御することができる。
【００２７】
一実施形態によると、接触部１４０は、１つ以上の伝導性チップ１４１〜１４３を含んでいる。また、接触部１４０は、ユーザ端末のタッチインタフェースに接触して少なくとも１つのタッチイベントを発生させ得る。タッチイベントは、チップ１４１〜１４３とタッチインタフェースが接触する場合に発生する電気的信号によって発生する可能性がある。他の一側面によると、タッチイベントは、チップ１４１〜１４３を用いてタッチインタフェースに加えられる圧力によって発生する可能性がある。前述したタッチイベントの発生は、一実施形態に係る例示的な事項に過ぎず、タッチイベントの発生は前述した事項に限定されることはない。
【００２８】
一実施形態によると、前記タッチイベントは、識別情報の認証結果に応じて予め決定した認証アイテムがユーザ端末のタッチインタフェースに視覚的に表示されるようにトリガリングする。
【００２９】
より具体的に、ユーザ端末は、送信音波を復調して送信音波に含まれた識別情報を抽出することができる。ユーザ端末は、抽出された識別情報が予め定義された情報と一致するか否かを確認する。一致する場合、少なくとも１つのタッチイベントが発生した時、認証アイテムがタッチインタフェースに表示される。一致しない場合、少なくとも１つのタッチイベントが発生しても認証アイテムがタッチインタフェースに表示されない。すなわち、ユーザ端末が識別情報を認証すると、タッチイベントにより認証アイテムがタッチインタフェースに表示され、ユーザ端末が識別情報を認証しなければ、タッチイベントがあっても認証アイテムがタッチインタフェースに表示されない。
【００３０】
また、タッチイベントは、識別情報の認証結果に応じて聴覚的フィードバック及び触覚的フィードバックのうち少なくとも１つがユーザ端末によって提供されるようトリガリングする。例えば、認証アイテムがユーザ端末のタッチインタフェースに表示されるとき、効果音が出力されたりユーザ端末が振動する。
【００３１】
一実施形態によると、ユニークに付与された識別情報は、予め決定した時間ごとに変更され得る。また、識別情報は、少なくとも一部のデータが予め決定した時間ごとに変更されてもよい。すなわち、ユニークに付与された識別情報は、時間に応じて変化しない固定データと予め決定した時間ごとに変化する変動データとを含む。例えば、識別情報を二進数１０１０１０１０１０とするとき、前の７桁１０１０１０１は変化しないが、後の３桁０１０は予め決定した時間ごとに変更される。
【００３２】
一実施形態によると、制御部１２０は、予め決定した回数に応じて送信音波の振幅を制御する。ユーザ端末の周辺環境で発生し得る干渉によって、ユーザ端末は、電子スタンプ１００が出力する送信音波を充分に受信することができない。ユーザ端末が送信音波を充分受信できない場合、送信音波に含まれた識別情報を正確に抽出することが難しい。したがって、ユーザ端末が送信音波を充分に受信できるように電子スタンプ１００は送信音波を１回以上出力する。ユーザ端末は、送信音波を繰り返し受信することで送信音波に含まれた識別情報を正確に抽出することができる。
【００３３】
また、電子スタンプ１００は、予め決定した回数に応じて送信音波を出力する場合、送信音波を出力するごとに送信音波の振幅を制御する。例えば、電子スタンプ１００が送信音波を３回出力するとき、最初の送信音波は予め設定された振幅を有し、２回目の送信音波は予め設定された振幅よりも大きい振幅を有する。３回目の送信音波は予め設定された振幅よりも小さい振幅を有する。
【００３４】
一実施形態によると、音波生成部１１０は、基準音波を生成する基準音波生成部１１１、認証アイテムの取消しのための取消し音波を生成する取消し音波生成部１１２、及び基準音波生成部１１１と取消し音波生成部１１２をスイッチングするスイッチング部１１３を含む。ユーザは、基準音波を生成するか取消し音波を生成するか否かを選択する。前記ユーザの選択に応じて、前記制御部１２０はスイッチング部１１３を制御することができる。
【００３５】
一実施形態によると、音波生成部１１０は、キャリア周波数が他の複数の基準音波を生成することがあり、前記複数の基準音波は非可聴周波数帯域（例えば、１８ｋＨｚ〜２２ｋＨｚ）にあり得る。
【００３６】
前記複数の基準音波のうちの１つは前述した取消し音波である。ユーザ端末は、受信した送信音波のキャリア周波数を識別して認証アイテムを表示するか取り消すかを決定する。  
【００３７】
また、前記キャリア周波数に応じてユーザ端末のタッチインタフェースに表示される認証アイテムの種類及び個数のうち少なくとも１つが決定される。音波生成部１１０は、キャリア周波数が他の複数の基準音波を生成し、各々を送信音波に変換する。送信音波は、ユニークに付与された識別情報を含んでもよい。それぞれの送信音波がユーザ端末によって受信されてタッチイベントが発生する場合に、ユーザ端末のタッチインタフェースには送信音波に対応する予め決定した認証アイテムが表示される。すなわち、電子スタンプ１００が発生する音波によって、ユーザ端末のタッチインタフェースに表示される認証アイテムの種類及び個数のうち少なくとも１つが異なる。ここで、制御部１２０は、前記複数の基準音波のいずれか１つが生成されるようにユーザの入力によって音波生成部１１０を制御する。
【００３８】
例えば、コーヒーショップで顧客がコーヒーを購入する場合、電子スタンプ１００は、第１キャリア周波数を有する第１基準音波を変調して第１基準音波を第１送信音波に変換し、第１送信音波をユーザ端末に出力する。ユーザ端末は第１送信音波を受信し、タッチイベントがあれば、第１送信音波に対応する第１認証アイテムを表示する。コーヒーショップで顧客がデザートを購入する場合、電子スタンプ１００は、第２キャリア周波数を有する第２基準音波を第２送信音波に変換し、第２送信音波をユーザ端末に出力する。ユーザ端末は第２送信音波を受信し、タッチイベントが発生する場合に、ユーザ端末は第２送信音波に対応する第２認証アイテムを表示する。
【００３９】
他の一例として、コーヒーショップで顧客がコーヒーを３杯購入する場合、電子スタンプ１００は、第３キャリア周波数を有する第３基準音波を変調して第３音波を第３送信音波に変換し、第３送信音波をユーザ端末に出力する。ユーザ端末は第３送信音波を受信し、タッチイベントがあれば、第３送信音波に対応する認証アイテムを表示する。ここで、ユーザ端末は、認証アイテムを３個表示する。第４キャリア周波数を有する第４送信音波が受信される場合、ユーザ端末は認証アイテムを４個表示する。
【００４０】
更なる例として、コーヒーショップの顧客が男性である場合、電子スタンプ１００は、第５キャリア周波数を有する第５基準音波を生成してもよい。また、コーヒーショップの顧客が女性である場合、電子スタンプ１００は、第６キャリア周波数を有する第６基準音波を生成してもよい。
【００４１】
一実施形態によると、基準音波と取消し音波は互いに同一のキャリア周波数を有し、基準音波に含まれる情報と取消し音波に含まれる情報とが異ってもよい。例えば、基準音波にはユニークに付与された識別情報が含まれてもよく、取消し音波には認証アイテムの取消しを示す情報が含まれてもよい。
【００４２】
一実施形態によると、接触部１４０は、予め定義されたパターンに応じてタッチイベントを発生させることができる。予め定義されたパターンは、チップ１４１〜１４３の位置及び個数のうち少なくとも１つによって決定される。チップが１つである場合、タッチイベントの発生パターンは制限的である。チップが複数である場合に発生し得るタッチイベントは複数であり、タッチイベントの発生パターンも複数である。
【００４３】
ユーザ端末でない第３者端末が送信音波を受信しても、予め定義されたパターンによるタッチイベントがなければ、第３者端末には認証アイテムが表示されない。すなわち、予め定義されたパターンに応じるタッチイベントを用いることによって、第３者端末が無断に認証アイテムを表示することができない。
【００４４】
一実施形態によると、タッチイベントの発生パターンはユーザ端末によって識別され、ユーザ端末は、タッチイベントの発生パターンが予め定義されたパターンと一致するか否かを判断する。タッチイベントの発生パターンが予め定義されたパターンと一致する場合、ユーザ端末は、認証アイテムをタッチインタフェースに視覚的に表示することができる。
【００４５】
一実施形態によると、タッチイベントが複数発生する場合、複数のタッチイベントが同時に発生し得る。
【００４６】
図２は、一実施形態に係る識別情報を用いて基準音波を送信音波に変換することを説明するための図である。
一実施形態によると、電子スタンプ２００は、識別情報を用いて循環重複チェック（Ｃｙｃｌｉｃ  Ｒｅｄｕｎｄａｎｃｙ  Ｃｈｅｃｋ、ＣＲＣ）ビットを生成する。電子スタンプ２００は、識別情報とＣＲＣビットを用いて基準音波を変調することで識別情報とＣＲＣビットをユーザ端末に送信する。ユーザ端末は、変調した音波、すなわち、識別情報とＣＲＣビットが含まれた音波を受信し、音波に含まれた識別情報とＣＲＣビットを抽出する。ここで、ユーザ端末は、ＣＲＣビットを用いて抽出した識別情報が電子スタンプ２００から受信した識別情報と一致するかを確認する。
【００４７】
図２を参照すると、２進化された識別情報の各桁の数字が予め決定した音波にマッピングされる。より具体的に、２進化された識別情報の２０桁の数字は周波数が１Ｈｚである音波とマッピングしてもよい。２進化された識別情報の２１桁の数字は周波数が２Ｈｚである音波とマッピングし、２２桁の数字は３Ｈｚである音波とマッピングしてもよい。上記のような方式により、２進化された識別情報の各桁の数字は周波数の異なる音波にマッピングされ得る。
【００４８】
一実施形態によると、２進化された識別情報の全てが単位長さのサウンドの生成に使用されなくてもよい。例えば、２進化された識別情報の２０桁は１であり、２０桁のデータは１０Ｈｚ（＝１＊１０＊１）の音波生成に利用されてもよい。２進化された識別情報の２１桁は０であり、２１桁のデータは音波生成に利用されない。上記のような方式によって、２進化された識別情報のうち０は音波生成に利用されない。識別情報が１００１である場合、４０Ｈｚ＋１０Ｈｚの音波が生成される。前記４０Ｈｚ＋１０Ｈｚの音波は識別情報に対応する音波である。前記識別情報に対応する音波は、キャリア周波数が２０ｋＨｚである基準音波に含まれる。例えば、電子スタンプ２００は、前述した変調方式を用いて識別情報に対応する音波を基準音波に含ませて基準音波を送信音波に変換することができる。ＣＲＣビットの場合も、ＣＲＣビットの各桁の数字は予め決定した音波にマッピングされる。マッピングの結果生成されたＣＲＣビットに対応する音波は、前述した変調方式によって基準音波に含まれる。
電子スタンプ２００は、スピーカを通して送信音波が出力される。
【００４９】
図３は、一実施形態に係る認証システムを構成する電子スタンプ及びユーザ端末間の動作を説明するためのフローチャートである。
図３を参照すると、電子スタンプ３１０は基準音波を生成する（３１１）。基準音波の周波数は、非可聴周波数帯域（例えば、１８ｋＨｚ〜２２ｋＨｚ）にあり得る。
【００５０】
電子スタンプ３１０は、基準音波を送信音波に変換する。より具体的に、電子スタンプ３１０は、ユニークに付与された識別情報を用いて基準音波を変調し、基準音波を送信音波に変換する。
【００５１】
電子スタンプ３１０は送信音波を出力する（３１３）。ユーザ端末３２０は、電子スタンプ３１０で出力された送信音波を受信する。
【００５２】
ユーザ端末３２０は、送信音波受信による視覚的フィードバックをユーザに提供する（３２１）。ユーザ端末３２０は、送信音波受信に応答して送信音波を受信したことを見せる視覚的フィードバックをタッチインタフェースに表示する。
【００５３】
より具体的に、ユーザ端末３２０は送信音波を復調し、送信音波に含まれた識別情報を抽出する。ユーザ端末３２０は、抽出された識別情報が予め定義された識別情報と一致するか否かを判断する。一致する場合、ユーザ端末３２０は、視覚的フィードバックをタッチインタフェースに表示する。
【００５４】
視覚的フィードバックに関連して、ユーザ端末３２０は、認証アイテムが表示される領域のグラフィック属性を変更する。例えば、ユーザ端末３２０は、認証アイテムが表示される領域の境界の色を変化させたり、前記領域の陰影又は色などを変更してもよい。
【００５５】
電子スタンプ３１０は、ユーザ端末３２０のタッチインタフェースに接触する（３１４）。接触によって電子スタンプ３１０とユーザ端末３２０との間に信号が発生する。前記信号は電気的信号であってもよく、接触による圧力であってもよい。
【００５６】
ユーザ端末３２０のタッチインタフェースにタッチイベントが発生する（３２２）。タッチイベントの発生は、上述したように電気的信号又は圧力によって発生する。図３には図示していないが、タッチイベントは予め定義されたパターンに応じて発生してもよい。
【００５７】
ユーザ端末３２０は、タッチイベントの発生が予め定義されたパターンと一致するか否かを確認する。一致するとの確認がある場合、ユーザ端末３２０は認証アイテムをタッチインタフェースに表示する（３２３）。
【００５８】
図４は、一実施形態に係る認証システムを構成する電子スタンプ及び端末の動作を説明するための図である。
図４を参照すると、ユーザ端末４１０のディスプレイには、認証アイテム４１１、４１２が２個表示され、３番目の領域４１３に認証アイテムが表示される順番である。３番目の領域４１３は認証アイテムが表示される領域である。３番目の認証アイテムを表示するためにユーザ端末４１０は、電子スタンプ４００が出力する送信音波を受信することができる。
【００５９】
図４には図示していないが、ユーザ端末４１０は、送信音波の受信に応答して視覚的フィードバックを提供してもよい。より具体的に、ユーザ端末４１０は送信音波を受信し、送信音波に含まれた識別情報が予め定義された情報と一致するか否かを確認する。一致する場合、ユーザ端末４１０は、視覚的フィードバックを提供する。例えば、ユーザ端末４１０は、３番目の領域４１３の境界の色を他の領域の色と相違に表示する。
【００６０】
ユーザ端末４１０は送信音波を受信し、識別情報が予め定義された情報と一致するか否かを確認した後、１つ以上のタッチイベント４２１〜４２３の発生を待機する。ユーザ端末４１０は、予め決定した時間内にタッチイベントの発生がない場合、電子スタンプ４００をタッチインタフェースに接触するメッセージを出力する。又は、ユーザ端末４１０は、予め決定した時間内にタッチイベントの発生がない場合、認証アイテムの表示のための手続を終了する。認証アイテムの表示のための手続が終了すれば、ユーザ端末４１０は、電子スタンプ４００が送信音波を再送信するようにメッセージを出力する。
【００６１】
タッチイベント４２１〜４２３は、電子スタンプ４００の接触によって発生する可能性がある。電子スタンプ４００が３番目の領域４１３に接触し、タッチイベント４２１〜４２３が発生する。ユーザ端末４１０はタッチイベント４２１〜４２３が発生する場合、認証アイテムを３番目の領域に表示する。また、ユーザ端末は、タッチイベント４２１〜４２３が予め決定したパターンと一致するか否かを確認し、一致する場合にのみ認証アイテムを３番目の領域に表示することができる。例えば、ユーザ端末４１０は、３つのタッチイベント発生パターンによって他の機器ではない電子スタンプ４００が接触されていることを確認できる。
【００６２】
一実施形態によると、電子スタンプ４００のチップ間の間隔は１５ｍｍ〜２０ｍｍであってもよい。一実施形態によると、電子スタンプ４００のチップ４０１〜４０３は非伝導性物質（例えば、ゴム）でカバーされ、タッチインタフェースと接触するチップ４０１〜４０３の一部は非伝導性物質でカバーされないこともある。チップ４０１〜４０３をカバーする非伝導性物質の厚さは７ｍｍであってもよい。前述したチップ間の間隔又はチップをカバーする非伝導性物質の厚さは一実施形態に係る例示的な事項に過ぎず、チップ間の間隔又は非伝導性物質の厚さは前述した事項に限定されることはない。
【００６３】
一実施形態によると、電子スタンプ４００が３番目の領域４１３でない他の領域（例えば、６番目の領域）に接触しても、ユーザ端末４１０は３番目の領域４１３に認証アイテムを表示することができる。すなわち、タッチイベント４２１〜４２３の発生パターンが予め決定したパターンと一致する場合、電子スタンプ４００がタッチした領域に関わらず、ユーザ端末４１０は認証アイテムが表示される領域に認証アイテムを表示することができる。
【００６４】
図５は、他の実施形態に係る電子スタンプの構成を説明するための図である。
図５を参照すると、他の実施形態に係る電子スタンプ５００は、ハウジング部５１０、コントローラ５２０、及び接触部５３０を含む。
【００６５】
ハウジング部５１０は、ユーザが把持できる把持部を含む。
コントローラ５２０は、ハウジング部５１０内に収納される１つ以上の回路素子を含んでもよい。ここで、コントローラ５２０は、基準音波を生成する音波生成部５２１、ユニークに付与された識別情報を格納するメモリ５２２、識別情報を用いて基準音波を変調して送信音波に変換するよう制御するプロセッサ５２３、及び送信音波を出力する出力部５２４を含む。識別情報は予め決定した時間ごとに変更される。
【００６６】
接触部５３０は、ユーザ端末のタッチインタフェースに接触する１つ以上の伝導性チップ５３１〜５３３を含む。
【００６７】
プロセッサ５２３は、予め決定した回数に応じて送信音波の振幅を制御する。プロセッサ５２３は送信音波を繰り返し出力し、ユーザ端末は送信音波を繰り返して受信し、送信音波に含まれた識別情報を正確に抽出することができる。
【００６８】
音波生成部５２１は、基準音波を生成する基準音波生成部、認証アイテムの取消しのための取消し音波を生成する取消し音波生成部、及び基準音波生成部と取消し音波生成部をスイッチングするスイッチング部を含む。取消し音波は、認証アイテムがユーザ端末のタッチインタフェースで視覚的に消えるようにトリガリングする。ここで、プロセッサ５２３は、ユーザ入力によりスイッチング部を制御する。例えば、電子スタンプ５００のユーザは、スイッチ５１１によって基準音波を生成するか取消し音波を生成するかを選択する。
【００６９】
一実施形態によると、音波生成部１１０は、キャリア周波数が他の複数の基準音波を生成し、前記複数の基準音波は非可聴周波数帯域（例えば、１８ｋＨｚ〜２２ｋＨｚ）にあり得る。
【００７０】
前記複数の基準音波のうちの１つは前述した取消し音波である。ユーザ端末は、受信した送信音波のキャリア周波数を識別して認証アイテムを表示するか取り消すかを決定する。
【００７１】
また、前記キャリア周波数によりユーザ端末のタッチインタフェースに表示される認証アイテムの種類、及び個数のうち少なくとも１つが決定される。音波生成部５２１は、キャリア周波数が異なる複数の基準音波を生成し、各々を送信音波に変換する。送信音波は、ユニークに付与された識別情報を含む。それぞれの送信音波がユーザ端末によって受信され、タッチイベントが発生する場合、ユーザ端末のタッチインタフェースには送信音波に対応する予め決定した認証アイテムが表示される。すなわち、電子スタンプ５００が発生する音波によってユーザ端末のタッチインタフェースに表示される認証アイテムの種類及び個数のうち少なくとも１つが異なる。ここで、プロセッサ５２３は、前記複数の基準音波のいずれか１つが生成されるようにユーザの入力により音波生成部５２１を制御することができる。
【００７２】
接触部５３０は、予め定義されたパターンに応じてタッチイベントを発生させる。予め定義されたパターンは、チップの個数及びチップの位置のうち少なくとも１つに基づいて決定される。
【００７３】
図５に示された電子スタンプ５００には、図１〜図４を参照して記述された事項がそのまま適用され得るため、その詳細な説明は省略する。
【００７４】
上述した装置は、ハードウェア構成要素、ソフトウェア構成要素、及び／又はハードウェア構成要素及びソフトウェア構成要素の組合で実現してもよい。例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令を実行して応答できる異なる装置のように、１つ以上の汎用コンピュータまたは特殊目的のコンピュータを用いて実現されてもよい。処理装置は、オペレーティングシステム（ＯＳ）及び前記オペレーティングシステム上で行われる１つ以上のソフトウェアアプリケーションを行ってもよい。また、処理装置は、ソフトウェアの実行に応答してデータをアクセス、格納、操作、処理及び生成してもよい。理解の便宜のために、処理装置は１つ使用されるものと説明される場合もあるが、当該の技術分野で通常の知識を有する者は、処理装置が複数の処理要素及び／又は複数類型の処理要素を含んでいることが分かる。例えば、処理装置は、複数のプロセッサまたは１つのプロセッサ及び１つのコントローラを含んでもよい。また、並列プロセッサのような、他の処理構成も可能である。
【００７５】
ソフトウェアはコンピュータプログラム、コード、命令、またはこのうちの１つ以上の組合せを含んでもよく、希望の通りに動作するよう処理装置を構成したり独立的または結合的に処理装置を命令してもよい。ソフトウェア及び／又はデータは、処理装置によって解釈されたり処理装置に命令またはデータを提供するためどのような類型の機械、構成要素、物理的装置、仮想装置、コンピュータ格納媒体または装置、送信される信号波に永久的または一時的に具体化できる。ソフトウェアは、ネットワークに接続されたコンピュータシステム上に分散し、分散された方法で格納されたり実行されてもよい。ソフトウェア及びデータは１つ以上のコンピュータで判読可能な記録媒体に格納されてもよい。
【００７６】
実施形態に係る方法は、多様なコンピュータ手段を介して様々な処理を実行することができるプログラム命令の形態で実現され、コンピュータで読取可能な記録媒体に記録されてもよい。コンピュータ読取可能な媒体は、プログラム命令、データファイル、データ構造などのうち１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例には、コンパイラによって作られるような機械語コードだけでなく、インタープリタなどを用いてコンピュータによって実行できる高級言語コードが含まれる。前記したハードウェア装置は、本発明の動作を行うために１つ以上のソフトウェアモジュールとして動作するように構成されてもよく、その逆も同様である。
【００７７】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
したがって、本発明の範囲は、開示された実施形態に限定されるものではなく、特許請求の範囲だけではなく特許請求の範囲と均等なものなどによって定められるものである。
【符号の説明】
【００７８】
１００：電子スタンプ
１１０：音波生成部
１２０：制御部
１３０：出力部
１４０：接触部
１４１、１４２、１４３：チップ
５００：電子スタンプ
５１０：ハウジング部
５１１：スイッチ
５２０：コントローラ
５３０：接触部 
５３１、５３２、５３３：チップ
【図１】
2018097882.tif 000003
【図２】
2018097882.tif 000004
【図３】
2018097882.tif 000005
【図４】
2018097882.tif 000006
【図５】
2018097882.tif 000007